(57)【特許請求の範囲】
【請求項１】
車輪（２）とハンドル（３）を備えるカート（１）に起立した支持フレーム（５）を設け、その支持フレーム（５）に薬剤散布竿（６）を側方に張り出すように取り付けたカート式薬剤散布装置であって、
前記支持フレーム（５）に設ける位置固定のギヤケース（７）と、そのギヤケースの上下において前記支持フレーム（５）に昇降可能に取り付ける下部スライダ（８）及び上部スライダ（９）と、前記ギヤケース（７）で回転可能に支えるピニオン（１４）と、そのピニオンを回転させる回転駆動手段（１９）と、前記ピニオン（１４）に係合して回転の各位置でピニオンを回り止めする係合解除の可能なラッチ爪（１５）と、前記下部スライダ（８）と上部スライダ（９）間に縦向きに掛け渡して前記ピニオン（１４）を噛合させる可動ラック（２０）と、その可動ラックにスライド抵抗を付与するスライド抵抗付与手段（１７）を設け、前記薬剤散布竿（６）を前記下部スライダ（８）、上部スライダ（９）のどちらかに取り付けたカート式薬剤散布装置。
【請求項２】
前記スライド抵抗付与手段（１７）を、操作ノブ（２１ａ）を有するプッシュピン（２１）と、そのプッシュピンで当該プッシュピンの軸直角方向に押し引きする第１くさび（２２）と、その第１くさびと前記可動ラック（２０）との間に挟み込まれて前記可動ラック（２０）に摩擦力を付与する第２くさびと（２３）とで構成した請求項１に記載のカート式薬剤散布装置。
【請求項３】
前記プッシュピン（２１）の外周に、当該プッシュピンに押されて軸方向に移動しながら先端に設けた螺旋のカム面（２５ａ）の案内作用によりプッシュピン上で回転するスリーブ（２５）を嵌め、そのスリーブ（２５）に前記ラッチ爪（１５）を一体に設け、前記プッシュピン（２１）が前記スライド抵抗付与手段（１７）によるラックへのスライド抵抗付与方向に移動したときに前記ラッチ爪（１５）が前記スリーブ（２５）と共に一定方向に回転して前記ピニオン（１４）に対するラッチ爪の係合が解けるようにした請求項２に記載のカート式薬剤散布装置。
【発明の詳細な説明】
【技術分野】
【０００１】
この発明は、カートと、噴霧ノズルのついた薬剤散布竿を組み合わせて構成されるカート式薬剤散布装置に関する。
【背景技術】
【０００２】
殺虫剤の噴霧などに利用される既知のカート式薬剤散布装置の中に、車輪とハンドルを備えるカートに、起立した支持フレームを設け、その支持フレームに薬剤散布竿を取り付けて構成される首記のカート式薬剤散布装置がある。そのカート式薬剤散布装置の従来例として、例えば、下記特許文献１に示されるようなものがある。
【０００３】
このカート式薬剤散布装置は、簡易式の薬剤散布車と言えるものであって、作業者が装置を押し引きして移動させながらその装置の支持フレームの少なくとも片側に張り出させた薬剤散布竿から、栽培されている植物に薬剤を散布するようになっている。
【０００４】
このカート式薬剤散布装置は、薬剤の噴霧高さを可変となすために、薬剤散布竿を装置の起立した支持フレームに対して昇降可能に、なおかつ、昇降の各位置に固定できるように取り付けている。
【０００５】
薬剤散布竿の昇降は、装置の支持フレームにスライダを装着し、そのスライダに薬剤散布竿を取り付け、スライダを手で上げ下げする方法で行なっている。また、昇降の各位置における薬剤散布竿の固定は、支持フレームに対して係合、離脱させる止めねじをスライダに取り付け、その止めねじを操作することで支持フレームに対してスライダを固定する方法で行っている。
【先行技術文献】
【特許文献】
【０００６】
【特許文献１】特開２００１−１４９８３２号公報
【発明の概要】
【発明が解決しようとする課題】
【０００７】
従来のカート式薬剤散布装置は、上述したように、支持フレームで支えたスライダを手で上げ下げし、さらに、そのスライダを止めねじで支持フレームに固定することによって薬剤散布竿を高さ調節位置に保持するようにしていたが、この方法では、止めねじを緩めたときに薬剤散布竿がスライダとともに滑り落ちることがあった。
【０００８】
薬剤散布竿を取り付けたスライダは重量が比較的大きく、そのスライダを作業者が片手で支え、この状態を維持して他方の手で止めねじを操作する必要があるためスライダを安定して確実に支えるのが容易でなく、そのために、薬剤散布竿がスライダとともに滑り落ちることがあった。
【０００９】
その落下は衝撃を伴うことから、薬剤散布竿の破損などの原因となりかねず、好ましくない。
【００１０】
そこで、この発明は、薬剤散布竿の高さ調節時の不測の落下を防止するために、カート式薬剤散布装置の薬剤散布竿を楽に確実に目的の高さ位置に昇降させられるようにすることを課題としている。
【課題を解決するための手段】
【００１１】
上記の課題を解決するため、この発明においては、車輪とハンドルを備えるカートに起立した支持フレームを設け、その支持フレームに薬剤散布竿を側方に張り出すように取り付けたカート式薬剤散布装置に以下の特徴部を付与した。
【００１２】
即ち、前記支持フレームに設ける位置固定のギヤケースと、そのギヤケースの上下において前記支持フレームに昇降可能に取り付ける下部スライダ及び上部スライダと、前記ギヤケースで回転可能に支えるピニオンと、そのピニオンを回転させる回転駆動手段と、前記ピニオンに係合して回転の各位置でピニオンを回り止めする係合解除の可能なラッチ爪と、前記下部スライダと上部スライダ間に縦向きに掛け渡して前記ピニオンを噛合させる可動ラックと、その可動ラックにスライド抵抗を付与するスライド抵抗付与手段を設け、前記薬剤散布竿を前記下部スライダ、上部スライダのどちらかに取り付けた。
【００１３】
前記回転駆動手段は、手回し式のハンドルが電源を必要とせず、装置のコストアップも抑えられて好ましいが、手動式に限定されるものではない。
【００１４】
また、前記スライド抵抗付与手段は、操作ノブを有するプッシュピンと、そのプッシュピンで当該プッシュピンの軸直角方向に押し引きする第１くさびと、その第１くさびと前記可動ラックとの間に挟み込まれて前記可動ラックに摩擦力を付与する第２くさびとで構成されるものが好ましい。
【００１５】
その好ましいとしたスライド抵抗付与手段を有するものは、より好ましい形態として、前記プッシュピンの外周に、当該プッシュピンに押されて軸方向に移動しながら先端に設けた螺旋のカム面の案内作用によりプッシュピン上で回転するスリーブを嵌め、そのスリーブに前記ラッチ爪を一体に設け、前記プッシュピンが前記スライド抵抗付与手段によるラックへのスライド抵抗付与方向に移動したときに前記ラッチ爪が前記スリーブと共に一定方向に回転して前記ピニオンに対するラッチ爪の係合が解けるようにすることができる
。
【発明の効果】
【００１６】
この発明のカート式薬剤散布装置は、スライダと一体になって昇降する可動ラックとそれに噛合させる回転駆動手段を備えたピニオンを設け、前記ピニオンにラッチ爪を係合させており、ピニオンに対するラッチ爪の係合を意図的に解かない限り、前記スライダに取り付けられた薬剤散布竿が高さ調節位置に確実に保持される。
【００１７】
また、スライド抵抗付与手段を設けて前記可動ラックにスライド抵抗を付与しており、可動ラックに付与するスライド抵抗を適度に設定することで可動ラックの降下速度を制御してピニオンに対するラッチ爪の係合を解いた場合にもスライダと薬剤散布竿の急激な落下を防止することができる。
【００１８】
なお、前記スライド抵抗付与手段を、操作ノブとくさび面を有するプッシュピンと、そのプッシュピンのくさび面で押し動かす第１くさびと、その第１くさびと前記可動ラックとの間に挟み込まれて前記可動ラックに摩擦力を付与する第２くさびとで構成したものは、構造が単純で安価で組み立てもし易い。
【００１９】
また、前記プッシュピンの外周に、螺旋のカム面を有するスリーブを相対回転可能に嵌め、そのスリーブにラッチ爪を一体に設け、前記プッシュピンが前記スライド抵抗付与手段によるラックへの抵抗付与がなされる方向に移動したときに前記ラッチ爪が前記スリーブと共に回転してピニオンに対するラッチ爪の係合が解けるようにしたものは、プッシュピンを押し引きすることでピニオンに対するラッチ爪の係合、離脱と、ラックに対するスライド抵抗の付与、解除を行わせることができる。加えて、この構造では、ラックに対するスライド抵抗の付与がラッチ爪の係合解除と同時進行でなされるため、ラッチ爪の係合が解かれたときのスライダと薬剤散布竿の落下防止がより確実になされる。
【図面の簡単な説明】
【００２０】
【図１】この発明のカート式薬剤散布装置の一形態を示す斜視図
【図２】図１のカート式薬剤散布装置のギヤケース設置部をギヤケースの後部壁を取り外した状態にして示す斜視図
【図３】ギヤケース設置部の水平面に沿った断面図
【図４】スライド抵抗付与手段の第１くさびが図３の位置からスライド抵抗付与位置に動いた状態を示す断面図
【図５】図３のＶ−Ｖ線に沿った位置の断面図
【図６】ラッチ爪を有するスリーブとギヤケースの前部壁の内面側を示す斜視図
【図７】ラッチ爪を有するスリーブをギヤケースの前部壁の段差部付孔に挿入した状態を示す斜視図
【図８】ギヤケースを後部壁と第１、第２くさびを外した状態にして示す正面図
【図９】ラッチ爪によるピニオンの回り止めが解除された状態を示すギヤケースの後部壁と第１、第２くさびを外した状態にして示す正面図
【図１０】薬剤散布竿を取り付けた下部スライダが上昇位置にある状態を示す要部の正面図
【図１１】薬剤散布竿を取り付けた下部スライダが図１０の位置から下降した状態を示す要部の正面図
【発明を実施するための形態】
【００２１】
以下、この発明のカート式薬剤散布装置の実施の形態を添付図面の図１〜図１１に基づいて説明する。
【００２２】
図１に示すように、この発明のカート式薬剤散布装置は、カート１と薬剤散布竿６とからなる。カート１は、車輪２と作業者が手で掴んで押し引きするハンドル３とスタンド４を備えている。
【００２３】
そのカート１の車輪を取り付けた機枠上に支持フレーム５が起立して設けられており、その支持フレーム５に薬剤散布竿６が側方に張り出すように取り付けられている。なお、例示の装置は、支持フレーム５を境にして薬剤散布竿６のある側を前、スタンド４のある側を後と考える。
【００２４】
支持フレーム５は、２本のポールを平行に横に並べて連結したものであって、この支持フレーム５の下部にハンドル３が連結され、さらに、この支持フレーム５の下端に、支持フレーム５をハンドル３のある側に傾斜させたときに地面に接触して２個の車輪と一緒になって装置を３点支持するスタンド４が取り付けられている。
【００２５】
また、支持フレーム５の高さ方向途中には、位置固定のギヤケース７が設けられている。さらに、そのギヤケース７よりも下側において支持フレーム５に下部スライダ８が、ギヤケース７よりも上側において支持フレーム５に上部スライダ９がそれぞれ昇降可能に取り付けられている。
【００２６】
下部スライダ８の両側には、左右に水平に延びだす２本の棒状の支持アーム１０が回動支点になる支軸１１を用いて起立可能に結合されており、その２本の支持アーム１０に、薬剤散布竿６がそれぞれ取り付けられて支持されている。
【００２７】
薬剤散布竿６は、噴管６ａに対して複数個の噴霧ノズル６ｂを噴管長手方向に適当な間隔をあけて取り付けた周知の竿である。
【００２８】
１２は、上端を蝶ねじなどを使用して上部スライダ９に対して着脱自在に取り付け、下端を支持アーム１０の長手途中に取り付けられた接続金具１３に対して回動自在にピン結合させた吊下リンクである。
【００２９】
図示の薬剤散布竿６は、長さが長いため、吊下リンク１２を設けてその竿の支持安定性を高めているが、吊下リンク１２は薬剤散布竿６が短ければ無くてもよい。支持アーム１０も好ましい要素に過ぎず、薬剤散布竿６を未使用時に起立可能となすことも、装置の保管、運搬などの面で好ましいに過ぎない。
【００３０】
ギヤケース７は、分割成形された後部壁７ａと前部壁７ｂをボルト７ｃで連結して支持フレーム５のポールに抱きつかせたものであって、そのケースの上端と下端は開放されている。そのギヤケース７の内部にピニオン１４が定位置回転可能に組み込まれ、さらに、後述するラッチ爪１５と、そのラッチ爪に、ピニオン１４に対して噛合する方向の付勢力を加えるスプリング１６とスライド抵抗付与手段１７が組み込まれている。
【００３１】
ピニオン１４は、図３に示すように、ギヤケース７で支持した回転軸１８に固定されている。回転軸１８のギヤケース７からの突出部には回転駆動部（図のそれは手回し式のハンドル）１９が取り付けられており、その回転駆動部１９の回転操作によってピニオン１４が回転するようになっている。
【００３２】
下部スライダ８と上部スライダ９との間には、可動ラック２０がギヤケース７を貫通して縦向きに架け渡されており、その可動ラック２０に対して図８に示すようにピニオン１４が噛合させられている。
【００３３】
スライド抵抗付与手段１７は、プッシュピン２１と、そのプッシュピン２１でプッシュピンの軸と直角な左右方向に押し引きする第１くさび２２と、その第１くさび２２と可動ラック２０との間に挟み込まれて可動ラック２０に摩擦力を付与する第２くさび２３とで構成されている。
【００３４】
プッシュピン２１、第１くさび２２、第２くさび２３及びピニオン１４とラック２０の位置関係の詳細を図２、図３、及び図８に示した。
【００３５】
プッシュピン２１は図３に示すように、ギヤケース７を前後方向に貫通しており、ギヤケース７の外部に突出したそのプッシュピン２１の両端に操作ノブ２１ａがそれぞれ設けられ、さらに、そのプッシュピン２１の外周に第１くさび２２に設けられた斜面２２ａ、２２ｂに当接するテーパ面２１ｂと凸部２１ｃがそれぞれ設けられている。そしてさらに、このプッシュピン２１の外周にラッチ爪１５が相対回転可能に装着されている。
【００３６】
テーパ面２１ｂと凸部２１ｃは、組立て性の観点からプッシュピン２１の外周にスリーブ２４を嵌めて（図３、図６参照）そのスリーブ２４に形成している。
【００３７】
ラッチ爪１５は、プッシュピン２１の外周に相対回転可能に嵌めたスリーブ２５（図３、図６参照）の外周に一体に形成されており、スプリング１６の力で回転して図８のようにピニオン１４に係合し、そのピニオン１４を回り止めする。
【００３８】
スリーブ２５の先端には、図６に示した螺旋のカム面２５ａが設けられている。そのカム面２５ａは、ギヤケース７の前部壁７ｂに設けた孔の段差部７ｄ（図６参照）に係合させており、スリーブ２５が軸方向前方に押し動かされると、カム面２５ａのねじれによってスリーブ２５がラッチ爪１５を伴って回転する。
【００３９】
そのときのラッチ爪１５の回転方向は、スプリング１６の力に抗してピニオン１４から離脱する方向であり、従って、プッシュピン２１を前向きに押し込むことでラッチ爪１５によるピニオン１４の回り止めを解除することができる。
【００４０】
また、プッシュピン２１を前向きに押し込むと、第１くさび２２がテーパ面２１ｂに押されて図４に示すように左方にスライドし、この第１くさび２２と可動ラック２０との間に第２くさび２３が挟み込まれて第２くさび２３と可動ラック２０との間に生じる摩擦力で可動ラック２０にスライド抵抗が加わる。
【００４１】
従って、ラッチ爪１５によるピニオン１４の回り止めが解除されたときには、可動ラック２０はスライド抵抗を受けており、このために、その可動ラック２０が急激に降下することがなく、下部スライダ８に取り付けられた薬剤散布装置の衝撃を伴う落下が確実に防止される。
【００４２】
第１くさび２２と第２くさび２３は、図５に示すように、ギヤケース７の後部壁７ａの内面に設けたガイド溝７ｅに収容されて上下方向への移動が規制されている。
【００４３】
このように構成したこの発明のカート式薬剤散布装置は、プッシュピン２１を前方に押し動かすと図９に示すようにラッチ爪１５によるピニオン１４の回り止めが解除され、それと同時に図３に示すように、スライド抵抗付与手段１７が作動して可動ラック２０にスライド抵抗が付与される。
【００４４】
この状態で回転駆動部（ハンドル）１９を、今、図１０において反時計周りの方向に回転させると、図１１に示すように、下部スライダ８、上部スライダ９と共に薬剤散布竿６が降下し、回転駆動部１９を逆に時計周りの方向に回転させると図１０の位置から薬剤散布竿６が上昇する。その下降、上昇は、可動ラック２０にスライド抵抗が付与された状態でなされ、そのために、薬剤散布竿６の衝撃を伴う落下が確実に防止される。
【００４５】
また、プッシュピン２１を手前に押し戻すと、凸部２１ｃが斜面２２ｂに接して第１くさび２２が図３の位置に押し戻されてラッチ爪１５がピニオン１４に係合し、スライド抵抗付与手段１７による可動ラック２０へのスライド抵抗の付与が解かれる。
【００４６】
なお、図示のカート式薬剤散布装置には、２本の薬剤散布竿６を支持フレーム５の左右に張り出させて設けたが、薬剤散布竿６を２本備えることは必須の要件ではない。１本の薬剤散布竿６を支持フレーム５の片側に張り出させて設けることもありうる。
【００４７】
また、実施例のカート式薬剤散布装置は、薬剤散布竿６を下部スライダ８に取り付けたが、背丈の高い植物に対する薬剤の散布も考えられるので、薬剤散布竿６は上部スライダ９に取り付けてもよい。
【００４８】
このほか、図示の薬剤散布装置は２輪カート型であるが、この発明は、図示の装置のスタンド４に代えて補助輪を取り付けた３輪カート型の薬剤散布装置や１輪カート型の薬剤散布装置にも適用することができる。
【符号の説明】
【００４９】
１          カート
２          車輪
３          ハンドル
４          スタンド
５          支持フレーム
６          薬剤散布竿
６ａ        噴管
６ｂ        噴霧ノズル
７          ギヤケース
７ａ        後部壁
７ｂ        前部壁
７ｃ        ボルト
７ｄ        段差部
７ｅ        ガイド溝
８          下部スライダ
９          上部スライダ
１０        支持アーム
１１        支軸
１２        吊下リンク
１３        接続金具
１４        ピニオン
１５        ラッチ爪
１６        スプリング
１７        スライド抵抗付与手段
１８        回転軸
１９        回転駆動部（ハンドル）
２０        可動ラック
２１        プッシュピン
２１ａ      操作ノブ
２１ｂ      テーパ面
２１ｃ      凸部
２２      第１くさび
２２ａ，２２ｂ  斜面
２３      第２くさび
２４，２５  スリーブ
２５ａ      螺旋のカム面
【図１】
0005572816.tif 000002
【図２】
0005572816.tif 000003
【図３】
0005572816.tif 000004
【図４】
0005572816.tif 000005
【図５】
0005572816.tif 000006
【図６】
0005572816.tif 000007
【図７】
0005572816.tif 000008
【図８】
0005572816.tif 000009
【図９】
0005572816.tif 000010
【図１０】
0005572816.tif 000011
【図１１】
0005572816.tif 000012